(57)【要約】【課題】  遊技部の前方を覆う透明保護板の一部に透過型表示器が配設された遊技機において、透過型表示器の端部を目立ち難くする。【解決手段】  本発明の遊技機は、遊技部と、その遊技部の前面を覆う透明保護板（５ａ，５ｂ）とを備える。透明保護板５ｂの一部分には透過型表示器７が配設される。透過型表示器７の端部は、遊技者に視認されにくい形状に形成されている。  透過型表示器７の端部が遊技者に視認されにくい形状に形成されているため、透過型表示器７の端部が目立ち難くなる。【選択図】  図３
2005237480.tif 000002
【特許請求の範囲】
【請求項１】
遊技部と、その遊技部の前面を覆う透明保護板とを備え、その透明保護板の一部に透過型表示器が配設された遊技機において、前記透過型表示器の端部が遊技者に視認されにくい形状に形成されていることを特徴とする遊技機。
【発明の詳細な説明】
【技術分野】
【０００１】
本発明は、パチンコ機やスロットマシン等の遊技機に関する。
【背景技術】
【０００２】
遊技部の前面を覆う透明保護板の一部に透過型表示器が配設された遊技機として、特許文献１に開示されたパチンコ機が知られている。このパチンコ機は、パチンコ球が流下する遊技領域（遊技部）が形成された遊技盤を有し、その遊技盤の前面に保護ガラス（透明保護板）が配される。保護ガラスは２枚の板ガラスを重ね合わせて構成され、外側（遊技者側）の板ガラスの内面上の一部分（遊技領域の一部分と対向する位置）に矩形プレート形状の透過型表示器が貼着されている。このパチンコ機では、透過型表示器を遊技領域と重なる位置に配置するため、遊技者は視線を殆ど移動させることなく透過型表示器に表示される画像を視認することができる。また、透過型表示器に画像が表示されないときは、透過型表示器が透過状態となるため、遊技者は遊技領域を視認することができる。
【特許文献１】特開２００２−２２４４１２号公報
【発明の開示】
【発明が解決しようとする課題】
【０００３】
上記従来の遊技機においては、透過型表示器の大きさが保護ガラスより小さく、保護ガラスの面上の一部分に透過型表示器が貼着される構造となっている。したがって、透過型表示器が配された部分と透過型表示器が配されていない部分の境界（すなわち、透過型表示器の端部）が見る角度によって遊技者に視認される場合があり、遊技者の中には透過型表示器の端部が気になるという者がいた。
【０００４】
本発明は、上述した実情に鑑みてなされたものであり、遊技部の前方を覆う透明保護板の一部に透過型表示器が配設された遊技機において、透過型表示器の端部を目立ち難くすることができる遊技機を提供することを目的とする。
【課題を解決するための手段】
【０００５】
上記目的を達成するため、本発明の遊技機は、遊技部と、その遊技部の前面を覆う透明保護板とを備え、その透明保護板の一部に透過型表示器が配設された遊技機において、前記透過型表示器の端部が遊技者に視認されにくい形状に形成されている（手段１）。
【０００６】
手段１に記載の遊技機では、透過型表示器の端部が遊技者に視認されにくい形状に形成されている。このため、遊技者からは、あたかも透明保護板の全体が表示器となっているように感じられ、透過型表示器の端部を気にすることなく遊技を行うことができる。
【０００７】
手段１に記載の遊技機の一態様として、前記透過型表示器の端部に面取りが施されていることが好ましい。このような構成によると、透明保護板の厚みは、透過型表示器が配された部分から透過型表示器が配されていない部分に向かって徐々に変化するため、その境界部分の存在を目立たなくすることができる。
【０００８】
また、前記透過型表示器の端部に施される面取りは、曲面形状の面取りとすることが好ましい。曲面形状の面取りとすることで、透過型表示器の端部を効果的に目立たなくすることができる。
【０００９】
また、前記透過型表示器には透明ＥＬディスプレイを用いることができる。ＥＬディスプレイは液晶ディスプレイのように偏光板を使う必要がなく、透過率を高くすることができる。このため、他の透過型表示器に比べて後方の遊技部を視認し易くすることができる。
【発明を実施するための最良の形態】
【００１０】
以下、本発明をパチンコ機に適用した一実施形態について図１〜３を用いて説明する。図１は本実施形態に係るパチンコ機の要部（遊技盤）の正面概要図であり、図２は同部分の断面概要図であり、図３は図２における可変表示器が形成された基板の端部の拡大図である。なお、図示しない部分（説明も省略）はすべて公知技術に従っている。
【００１１】
遊技盤１には障害釘２や入賞口３（図示は１つだけであるが、通常は遊技盤面上に複数の入賞口が配設され、固定式入賞口の他に、いわゆるアタッカー式の大入賞口やチューリップ式の可変入賞口等を備える。）等が装着されている。
【００１２】
遊技盤１の前面側（遊技者側）にはガラス枠４に保持された保護ガラス５ａ、５ｂが配設されている。ガラス枠４は図示しない前面枠に軸支されていて扉状に開閉できるが、図１、２はガラス枠４を閉じた状態を示している。この状態では、遊技盤１と遊技盤１側の板ガラス５ｂとの間に、遊技領域となって遊技球６を流下させる空間が確保されている。
【００１３】
遊技盤１に向かって内側の保護ガラス５ｂの略中央部には、保護ガラス５ｂよりも小さい透明ＥＬディスプレイ基板７が遊技者から見て手前側に取り付けられている。透明ＥＬディスプレイ基板７は、遊技者から見ると遊技盤１の遊技領域と重なる位置に配置されており、その端部も遊技者から視認できる位置にある。本実施例では、遊技盤１の前方に配置される保護ガラス５ｂに透明ＥＬディスプレイ基板７を貼着しているため、透明ＥＬディスプレイ基板７によって遊技球６の落下経路の自由度が制限されることはない。また、大当たり等の識別表示を行う可変表示器を遊技盤１上に配置せず、透明ＥＬディスプレイ基板７によって大当たり等の識別表示を行うようにすると、遊技球６の落下経路の自由度をより増加させることができる。
【００１４】
ここで、本実施形態における透明ＥＬディスプレイ基板７の構造を断面図である図３により説明する。透明ＥＬディスプレイ基板７はガラス基板８とその上に順次薄膜として積層された、第１電極９、第１絶縁膜１０、発光層１１、第２絶縁膜１２、および第２電極１３より形成されている。ここで、上記第１電極９〜第２電極１３の膜は総膜厚でおよそ２μｍぐらいの非常に薄い膜である。
第１電極９と第２電極１３はストライプ状で互いに直交しており、例えばＩＴＯ膜にて構成されている。第１電極９と第２電極１３とが直交する部分は、電極９、１３の膜間に挟まれている第１絶縁膜１０、第２絶縁膜１２及び発光層１１とともに画素を構成し、第１電極９、第２電極１３間に電圧を印加することで、この画素が発光可能となっている。
発光層１１は、例えば、ＺｎＳ等の半導体材料にて構成されており、発光中心としては、Ｍｎ、Ｔｂ、Ｓｍ等を用いることができる。なお、発光中心にＭｎを用いた場合は、黄橙色、Ｔｂを用いた場合では緑色、Ｓｍを用いた場合では赤色の発光を生じる。また、第１絶縁膜１０および第２絶縁膜１２はＴｉＯ２、Ａｌ２Ｏ３、ＳｉＯ２、Ｓｉ３Ｎ４等の誘電体により構成されている。
透明ＥＬディスプレイ基板７を構成するガラス基板８、第１電極９〜第２電極１３の各薄膜は全てほぼ透明である。
【００１５】
図１に示されるとおり、透明ＥＬディスプレイ基板７は遊技盤１の前方に配置される。透明ＥＬディスプレイは透過率が高い表示器であるため、遊技盤１等の視認性を低下させることがなく、遊技者は透明ＥＬディスプレイ基板７の背後で流下する遊技球６の挙動や役物等の動作を良好に視認できる。また、従来のパチンコ機では遊技盤１に可変表示器が組付けられているのが一般的であるが、図２に示されるとおり、透明ＥＬディスプレイ基板７は遊技盤１よりも前方に配置されるため、従来のパチンコ機に比べてより迫力のある可変表示が可能である。
【００１６】
従来の構造では、例えば図４に示すように、透明ＥＬディスプレイ基板７を切断して、保護ガラス５ｂに接着しただけの状態、即ち透明ＥＬディスプレイ基板７のガラス側面（板厚方向の面）が露出し、且つ上記ガラス側面が板ガラス５ｂに対して垂直な状態となっている。このため、透明ＥＬディスプレイ基板７の端部が見る方向によって遊技者に認識され、遊技者は透明ＥＬディスプレイ基板７の存在が気になり、その背後の遊技盤１や遊技球６の挙動や役物等の視認性を低下させる場合があった。
【００１７】
一方、本実施形態の透明ＥＬディスプレイ基板７の端部は、図３に示されるとおり、保護ガラス５ｂに対し徐々に板厚が薄くなっていく曲面形状の面取りが施されている。したがって、透明ＥＬディスプレイ基板７の端部のエッジで光が乱反射することが防止され、遊技者からは透明ＥＬディスプレイ基板７の端部が視認され難くなる（目立たなくなる）。このため、遊技者は透明ＥＬディスプレイ基板７の背後にある遊技盤１や遊技球６の挙動や役物等の動作を良好に視認でき、遊技をより楽しむことができる。
【００１８】
なお、保護ガラス５ｂには透明ＥＬディスプレイ基板７の第１電極９および第２電極１３と導通するように、例えばＩＴＯ膜の配線電極１４が形成されている。
【００１９】
透明ＥＬディスプレイ基板７は透明な接着剤１５によって保護ガラス５ｂに接着されており、透明ＥＬディスプレイ基板７の第１電極９および第２電極１３と保護ガラス５ｂに形成された配線電極１４とは（図３では第１電極９と配線電極１４のみを図示）透明な接着剤１５に混入された導電粒子１６（樹脂粒子にＡｕメッキを施したもの。例えば積水化学工業社製のミクロパールＡｕ）によって電気的な導通が確保されている。つまり、透明ＥＬディスプレイ基板７は表示領域となるユニットであり、これを保護ガラス５ｂに接着することで第１電極９および第２電極１３と配線電極１４とを電気的に接続させている。
【００２０】
なお、本実施形態では透明ＥＬディスプレイ基板７は透明な接着剤１５により内側の保護ガラス５ｂに接着されているが、外側の保護ガラス５ａの内側面に接着することもできる。この場合には、配線電極１４を保護ガラス５ａの内側面に配設し、透明ＥＬディスプレイ基板７の第１電極９および第２電極１３と配線電極１４とが導通するよう接着することが好ましい。
【００２１】
配線電極１４は図１に示されるとおり、保護ガラス５ｂの上辺に集中させてガラス枠４の中でフレキシブル回路基板１７（ＦＰＣ）等により、透明ＥＬディスプレイを駆動するための集積回路が搭載された回路基板１８と電気的に接続されている。したがって、ガラス枠４の中に配線電極１４とＦＰＣ１７の接続部が配設され、遊技者から見えるのは保護ガラス５ｂに形成された配線電極１４のみになる。このため、配線用の透視ケーブルを保護ガラスに貼り付ける場合と比較して、配線の背後にある遊技盤面が見えにくくなることを防止することができる。
【００２２】
また、ＦＰＣ１７は遊技領域から外れた場所に配置されているので、ＦＰＣ１７が遊技球６の通路を制限することはなく、遊技領域を有効に使用できる。また、配線電極１４を保護ガラス５ｂの上辺に集中させてＦＰＣ１７と接続する構成であるため、接続部を１箇所にしてＦＰＣ１７の配線量を低減できる。なお、ＦＰＣ１７と回路基板１８は異方性導電接着剤（ＡＣＦ）等によって電気的に接続することができる。
【００２３】
上述の説明から明らかなように、透明ＥＬディスプレイ基板７の端部は、保護ガラス５ｂに対し徐々に板厚が薄くなっていく曲面形状の面取りされた形状になっている。このため、透明ＥＬディスプレイ基板の端部のエッジで光が乱反射することが防止され、遊技者からは透明ＥＬディスプレイ基板７の端部が目立たなくなる。
【００２４】
以上、本発明の一実施形態を説明したが、本発明はこれらの例に限定されるものではなく、本発明の要旨を逸脱しない範囲でさまざまに実施することができる。
例えば上記実施形態では、透明ＥＬディスプレイ基板７の端面を、その断面形状が略楕円状となる曲面の面取り形状としたが、このような形状に限らず傾斜状の面取りを行っても良い。この場合は、透明ＥＬディスプレイの端面が保護ガラスに対して急激な段差になることを防止するために、先端部や傾斜の終点の部分はＲ形状とすることが望ましい。また、断面は楕円形状には限られず円弧状（例えば、真円形状）であっても良い。
また、本実施形態は本発明をパチンコ機に適用した例であったが、他の遊技機（例えばアレンジボール式パチンコ機や雀球遊技機）に本発明を適用することもできる。さらに、回胴式遊技機（スロットマシン，パロット等）に本発明を適用することもできる。例えば、スロットマシンの回胴式表示器（遊技部に相当）の前方に透明保護板を設け、その透明保護板に透過型表示器を配設する。このような構成によると、回胴式表示器に表示される図柄上に透過型表示器の画像を重ねて表示することが可能となり、より熱い演出を行うことができる。なお、パチンコ機においても、保護ガラス上に貼着される透過型表示器とは別に、遊技盤上に大当り等の識別表示を行う可変表示器（例えば、液晶表示器、回胴式表示器等）を備えてもよいことはいうまでもない。かかる場合は、上述のスロットマシンと同様に、遊技盤上に配設する可変表示器と、保護ガラス上に配設する透過型表示器とが重なるような位置関係に配置し、２つの表示器の画像を重ね合わせて遊技者に見せるようにしてもよい。あるいは、遊技盤上に配設する可変表示器と、保護ガラス上に配設する透過型表示器とを重ならない位置関係に配置し、より大きな画面で画像を表示するようにしてもよい。
【図面の簡単な説明】
【００２５】
【図１】本実施形態に係るパチンコ機の正面概要図である。
【図２】図１のパチンコ機の断面概要図である。
【図３】図２における可変表示器が形成された基板の端部を拡大した拡大図である。
【図４】従来の可変表示器が形成された基板の端部を拡大したい拡大図である。
【符号の説明】
【００２６】
１・・遊技盤
２・・障害釘
３・・入賞口
４・・ガラス枠
５ａ、５ｂ・・保護ガラス
６・・遊技球
７・・透明ＥＬディスプレイ基板
８・・ガラス基板
９・・第１電極
１０・・第１絶縁層
１１・・発光層
１２・・第２絶縁層
１３・・第２電極
１４・・配線電極
１５・・接着剤
１６・・導電粒子
１７・・フレキシブル回路基板（ＦＰＣ）
１８・・回路基板
【図１】
2005237480.tif 000003
【図２】
2005237480.tif 000004
【図３】
2005237480.tif 000005
【図４】
2005237480.tif 000006